(57)【要約】  【課題】被収納物を内部に収納可能な第１の収納室、及び廃棄物を内部に収納可能な第２の収納室をそれぞれ具備する収納具において、被収納物の取り出しの際に廃棄物が意図せず収納具外にこぼれ出てしまう不具合の発生を防ぐ。  【解決手段】被収納物たるカッターナイフの替刃Ｅを内部に収納可能な第１の収納室１ｓ、及び廃棄物たる使用済みの刃先ＥＥを内部に収納可能な第２の収納室１ｔをそれぞれ具備する収納具本体１を具備する収納具たる替刃収納具Ｃに、前記第１の収納室１ｓのみを開放する第１開放状態Ｏ１、前記第２の収納室１ｔのみを開放する第２開放状態Ｏ２、及び前記第１及び第２の収納室１ｓ、１ｔを外部空間から遮断する閉止状態Ｓの何れかを選択的にとることが可能な蓋体２をさらに具備させる。  【選択図】図７
2008162612.tif 000002
【特許請求の範囲】
【請求項１】
被収納物を内部に収納可能な第１の収納室、及び廃棄物を内部に収納可能な第２の収納室をそれぞれ具備する収納具本体と、前記第１の収納室のみを開放する第１開放状態、前記第２の収納室のみを開放する第２開放状態、及び前記第１及び第２の収納室を外部空間から遮断する閉止状態の何れかを選択的にとることが可能な蓋体とを具備することを特徴とする収納具。
【請求項２】
前記第２の収納室の開口部の幅寸法及び奥行き寸法を、前記廃棄物の最小幅寸法及び最小奥行き寸法に略一致させていることを特徴とする請求項１記載の収納具。
【請求項３】
前記被収納物がカッターナイフの替刃、前記廃棄物が使用済みのカッターナイフの刃先でそれぞれあるとともに、前記第２の収納室の開口部がカッターナイフの刃先を収納可能な刃折溝であることを特徴とする請求項２記載の収納具。
【請求項４】
前記収納具本体と前記蓋体との間に、前記蓋体を前記閉止状態に保持可能な節度機構を設けていることを特徴とする請求項１、２又は３記載の収納具。
【請求項５】
前記蓋体が、前記閉止状態をとる閉止位置から一方向に移動することにより前記第１開放状態をとるとともに、前記閉止位置から前記一方向と逆方向に移動することにより前記第２開放状態をとることを特徴とする請求項１、２、３又は４記載の収納具。
【請求項６】
前記蓋体を前記収納具本体に枢着していることを特徴とする請求項５記載の収納具。
【請求項７】
前記第１の収納室及び前記第２の収納室が略同一方向に開口していることを特徴とする請求項１、２、３、４、５又は６記載の収納具。
【発明の詳細な説明】
【技術分野】
【０００１】
本発明は、第１の収納室及び第２の収納室をそれぞれ具備する収納具本体と、この収納具の開口を閉塞可能な蓋体とを具備する収納具に関する。
【背景技術】
【０００２】
従来より、被収納物たるカッターナイフの替刃を収納可能な第１の収納室、及び廃棄物たる不要になったカッターナイフの刃先を収納可能な第２の収納室を有する収納具本体と、これら第１及び第２の収納室の開口を閉塞可能な蓋体とを具備しているとともに、前記第２の収納室の開口部に形成したスリットを利用してカッターナイフの刃先を折り不要になった刃先をそのまま第２の収納室に収納させることが可能な収納具が広く知られている（例えば、特許文献１、２を参照）
【特許文献１】実公昭４５―２９１９９号公報
【特許文献２】実開昭４７―１２５９９号公報
【発明の開示】
【発明が解決しようとする課題】
【０００３】
ところで、前記特許文献１、２記載の構成のような収納具では、前記第１及び第２の収納室を蓋体により閉塞するようにしているが、このような蓋体では、前記第１及び第２の収納室の両方を閉塞する状態と、前記第１及び第２の収納室の両方を外部に連通する状態との２通りの状態しかとることができない。しかして、このような収納具から替刃を取り出す場合には、前記第１及び第２の収納室の両方を外部に連通した状態で収納具本体を振る等の方法により、第１の収納室内から替え刃を取り出す操作が行われることが多いが、この操作の際に、スリットから前記第２の収納室に収納した廃棄物である刃先がこぼれ出てしまう不具合が発生しうる。このように被収納物を取り出す際に廃棄物がこぼれ出てしまう不具合は、以上に述べたようなカッターナイフの替刃ケースだけでなく、第１の収納室内に新品の電池等の被収納物を収納するようにしているとともに第２の収納室内に使い終わった電池等の廃棄物を収納するように構成した収納具では一般的に起こり得る。
【０００４】
本発明は、以上に述べた課題を解決すべく構成するものである。
【課題を解決するための手段】
【０００５】
すなわち本発明に係る収納具は、被収納物を内部に収納可能な第１の収納室、及び廃棄物を内部に収納可能な第２の収納室をそれぞれ具備する収納具本体と、前記第１の収納室のみを開放する第１開放状態、前記第２の収納室のみを開放する第２開放状態、及び前記第１及び第２の収納室を外部空間から遮断する閉止状態の何れかを選択的にとることが可能な蓋体とを具備することを特徴とする。
【０００６】
このようなものであれば、第１の収納室内に収納した被収納物をこの収納具から取り出す際に蓋体を第１開放状態とすれば、第１の収納室のみが開放されていて第２の収納室は蓋体により閉塞されているので、前記被収納物を第１の収納室内から取り出すべく収納具を振る等の動作を行った際に第２の収納室内に収納した廃棄物が収納具外にこぼれ出てしまうことを防ぐことができる。
【０００７】
廃棄物が収納具の外に飛び出すことをより効果的に防げる態様として、前記第２の収納室の開口部の幅寸法及び奥行き寸法を、前記特定の廃棄物の最小幅寸法及び最小奥行き寸法に略一致させているものが挙げられる。このようなものであれば、誤って蓋体を第２開放状態としてこの収納具を振っても、特定の廃棄物の最小断面の法線がこの第２の収納室の開口方向を向き、特定の廃棄物がこの開口部の開口方向側に位置した状態で、かつこの収納具を開口部の開口方向に振らない限り特定の廃棄物は開口部から収納具の外に飛び出さないからである。
【０００８】
前段で述べた構成の特に有効な実施態様として、前記被収納物がカッターナイフの替刃、前記特定の廃棄物が使用済みのカッターナイフの刃先でそれぞれあるとともに、前記第２の収納室の開口部がカッターナイフの刃先を収納可能な刃折溝であるものが挙げられる。このような構成であれば、カッターナイフの切れ味が鈍った際に前記刃折溝にカッターナイフの刃先を差し込み、この刃折溝に刃の面板方向に垂直に刃を折り曲げることにより刃先を切り離してそのまま第２の収納室に収納させることができる。
【０００９】
さらに、このような収納具において、より確実に廃棄物が収納具の外に飛び出すことを防ぐための態様として、前記収納具本体と前記蓋体との間に、前記蓋体を前記閉止状態に保持可能な節度機構を設けているものが挙げられる。このような構成であれば、前記節度機構を機能させて前記蓋体を前記閉止状態に保持することにより、第１の収納室及び第２の収納室を外部空間から遮断した状態に保持でき、この状態で収納具を振る等しても廃棄物及び収納物は蓋体に規制されて収納具の外に飛び出さないようにできるからである。
【００１０】
また、前記蓋体が前記第１開放状態と前記第２開放状態と前記閉止状態とを選択的にとるようにするための簡単な構成として、前記蓋体が、前記閉止状態をとる閉止位置から一方向に移動することにより前記第１開放状態をとるとともに、前記閉止位置から前記一方向と逆方向に移動することにより前記第２開放状態をとるものが挙げられる。
【００１１】
さらに、前記蓋体を前記収納具本体に枢着しているものであれば、蓋体の一端部を収納具本体に当接させ、蓋体の他端部が第１の収納室と第２の収納室との境界から開口方向へ延伸する延長線を越え第１の収納室及び第２の収納室を同時に外部に開放しうる位置に移動することを規制できる。
【００１２】
そして、前記第１の収納室及び前記第２の収納室が略同一方向に開口しているとともに、これら前記第１の収納室及び前記第２の収納室の開口部を近接させているものであれば、蓋体が小さなものであってもこれら第１及び第２の収納室を同時に閉塞することができる。
【発明の効果】
【００１３】
本発明に係る収納具の構成によれば、蓋体が、収納具本体の第１の収納室のみを開放する第１開放状態、収納具本体の第２の収納室のみを開放する第２開放状態、及び収納具本体の第１及び第２の収納室を外部空間から遮断する閉止状態の何れかを選択的にとることが可能であるので、第１の収納室内に収納した被収納物をこの収納具から取り出すべく蓋体を第１開放状態とした際に、第１の収納室のみが開放されるとともに第２の収納室は蓋体により閉塞される。従って、前記被収納物を第１の収納室内から取り出すべく収納具を振る等の動作を行った際に第２の収納室内に収納した廃棄物が収納具の外にこぼれ出てしまうことを防ぐことができる。
【発明を実施するための最良の形態】
【００１４】
以下、本発明の一実施形態を、図面を参照して説明する。
【００１５】
本実施形態に係る収納具たる替刃収納具Ｃは、図１〜図１０に示すように、被収納物たる替刃Ｅを内部に収納可能な第１の収納室１ｓ、及び廃棄物たる使用済みの刃先ＥＥを内部に収納可能な第２の収納室１ｔをそれぞれ内部に具備する収納具本体１と、この収納具本体１に枢着してなるとともに該収納具本体１の上方に配され、前記第１の収納室１ｓのみを開放する第１開放状態Ｏ１、前記第２の収納室１ｔのみを開放する第２開放状態Ｏ２、及び前記第１及び第２の収納室１ｓ、１ｔを外部空間から遮断する閉止状態Ｓのいずれかを選択的にとることが可能な蓋体２とを具備する。なお、前記図１には閉止状態Ｓにおける全体斜視図、前記図２には第１開放状態Ｏ１における全体斜視図、前記図３には第２開放状態Ｏ２における全体斜視図、前記図４には閉止状態Ｓにおける平面図、前記図５には閉止状態Ｓにおける正面図、前記図６には閉止状態Ｓにおける側面図をそれぞれ示している。さらに、前記図７には第１開放状態Ｏ１における正面図、前記図８には第２開放状態Ｏ２における正面図、前記図９には閉止状態Ｓにおける中央正断面図、前記図１０には分解斜視図をそれぞれ示している。なお、前記図７及び図８では、閉止状態Ｓを想像線により示している。
【００１６】
具体的には、前記収納具本体１は、前記図９及び図１０に主に示すように、底壁３１と、この底壁の後端から起立する背壁３２と、この背壁３２の左右両側端から前方にそれぞれ突出する側壁３３、３３と、前記背壁３２の幅方向中央部から前方に突出する隔壁３４とを有する収納要素３と、この収納体３の前方に位置させてなる前壁要素４とを具備する。前記収納要素３は、一方の側壁３３、前記底壁３１、前記背壁３２、及び前記隔壁３４により区成される前記第１の収納室１ｓ、及び他方の側壁３３、前記底壁３１、前記背壁３２、及び前記隔壁３４により区成される前記第２の収納室１ｔをさらに有するとともに、これら第１、第２の収納室１ｓ、１ｔの前方を前記前壁要素４により閉塞するようにしている。また、前記第２の収納室１ｔの上端には、上壁３５を設けているとともに、この上壁３５に標準的なカッターナイフの刃先ＥＥを収納可能でありこの刃先ＥＥの幅寸法及び厚さ寸法にそれぞれ対応する幅寸法及び奥行き寸法を有する刃折溝３５ｓを設けている。この刃折溝３５ｓの幅寸法及び奥行き寸法は、第２の収納室１ｔの内法幅寸法及び内法奥行き寸法よりも小さくしている。一方、前記第１の収納室１ｓの開口部たる取出口１ｘの内法寸法は、この第１の収納室１ｓの上端部の内法寸法に略一致させている。すなわち、この第１の収納室１ｓは、内法寸法の略全域に亘って外部に連通可能にしている。そして、前記取出口１ｘと前記刃折溝３５ｓとは、この収納具本体１の上面に近接させて設けていて、いずれも上方に開口している。加えて、本実施形態では、この収納具本体１の一表面に、ラベル５を貼付する位置を示すラベル貼付位置案内凹部１ｙを設けている。
【００１７】
一方、前記蓋体２は、前記図１〜図３、及び図９に主に示すように、前記収納具本体１の上方に配される閉塞部２１と、この閉塞部の前後両端縁から垂下して設けられ前記収納具本体１に設けた枢着軸１ｘに枢支させてなる支持部２２とを具備する。ここで、前記収納具本体１とこの蓋体２との間には、この蓋体を前記閉止状態Ｓに保持可能な節度機構４を設けている。この節度機構４は、前記収納具本体１の上端部の左右両側縁に設けた保持爪１１と、前記閉塞部２１の左右両端に設けた爪受２１１とを弾性係合させてなる。そして、前記節度機構４の保持爪１１と爪受２１１との係合状態を解除し、この蓋体２を第２の収納室１ｔ側に移動させることにより第１の収納室１ｓのみを開放する前記第１開放状態Ｏ１に変化させることができる。また、前記節度機構４の保持爪１１と爪受２１１との係合状態を解除し、この蓋体２を第１の収納室１ｓ側に移動させることにより第２の収納室１ｔのみを開放する前記第２開放状態Ｏ２に変化させることができる。加えて、蓋体２が前記第１開放状態Ｏ１又は第２開放状態Ｏ２にある状態において、この蓋体２の略全体が前記収納具本体１の上方となる位置に移動させ、前記節度機構４の保持爪１１と爪受２１１とを弾性係合させることにより、この蓋体２を前記閉止状態Ｓに戻すことができる。
【００１８】
以下に、この替刃収納具Ｃの使用の態様について述べる。
【００１９】
この替刃収納具Ｃから替刃Ｅを取り出す際には、以下の操作を行うようにしている。まず、前記蓋体２の一端部すなわち第１の収納室１ｓ側の端部をこの替刃収納具Ｃの幅方向中央に向かい押圧することにより爪受２１１を弾性変形させて保持爪１１との係合を解除し、次いで、前記蓋体２を第１の収納室１ｓ側から第２の収納室１ｔ側に向かう方向に移動させる。ここで、前記蓋体２の他端部を収納具本体１に当接させるまで移動させた際に、前記一端部は前記隔壁３４の延長上に位置している。すなわち、このように操作することにより蓋体２は前記第１開放状態Ｏ１をとる。そして、このように蓋体２が前記第１開放状態Ｏ１をとる状態でこの替刃収納具Ｃを上下に振る、あるいは第１の収納室１ｓの開口が下を向くようにこの替刃収納具Ｃを傾けることにより、替刃Ｅが第１の収納室１ｓの外に飛び出させ、飛び出した替刃Ｅを摘んでこの替刃収納具Ｃの外に取り出す。その際、前述したように蓋体２は前記第１開放状態Ｏ１をとるので、第２の収納室１ｔは蓋体により閉塞されていて、この第２の収納室１ｔに収納した使用済みの刃先ＥＥがこの替刃収納具Ｃの外に飛び出すことはない。
【００２０】
一方、刃先ＥＥを折り使用済みの刃先ＥＥをこの替刃収納具Ｃに収納する際には、以下の操作を行うようにしている。まず、前記蓋体２の一端部すなわち第２の収納室１ｔ側の端部をこの替刃収納具Ｃの幅方向中央に向かい押圧することにより爪受２１１を弾性変形させて保持爪１１との係合を解除し、次いで、前記蓋体２を第２の収納室１ｔ側から第１の収納室１ｓ側に向かう方向に移動させる。ここで、前記蓋体２の他端部を収納具本体１に当接させるまで移動させた際に、前記一端部は前記隔壁３４の延長上に位置している。すなわち、このように操作することにより蓋体２は前記第２開放状態Ｏ２をとる。そして、刃折溝３５ｓにカッターナイフの刃先を差し込み、この刃折溝３５ｓに刃の面板方向に垂直に刃を折り曲げることにより使用済みの刃先ＥＥを切り離してそのまま第２の収納室１ｔに収納させる。この操作の終了後は、前記蓋体２を第１の収納室１ｓ側から第２の収納室１ｔ側に向かう方向に移動させ、爪受２１１と保持爪１１とを弾性係合させて節度機構４を機能させ、蓋体を閉止状態Ｓとする。
【００２１】
本実施形態に係る替刃収納具Ｃは、以上に述べたように、蓋体２が、第１の収納室１ｓのみを開放する第１開放状態Ｏ１、第２の収納室１ｔのみを開放する第２開放状態Ｏ２、及び前記第１及び第２の収納室１ｓ、１ｔを外部空間から遮断する閉止状態Ｓの何れかを選択的にとるので、第１の収納室１ｓ内に収納した替刃Ｅをこの替刃収納具Ｃから取り出す際に蓋体２を第１開放状態Ｏ１とし、第２の収納室１ｔを蓋体２により閉塞することにより、前記替刃Ｅを第１の収納室内１ｓから取り出すべく替刃収納具Ｃを振る等の動作を行った際に第２の収納室内１ｔに収納した使用済みの刃先ＥＥが替刃収納具Ｃの外部にこぼれ出ることを防ぐことができる。
【００２２】
また、刃折溝３５ｓの幅寸法及び奥行き寸法を、刃先ＥＥの幅寸法及び厚さ寸法に略一致させ、第２の収納室１ｔの内法幅寸法及び内法奥行き寸法よりも小さくしているので、誤って蓋体２を第２開放状態Ｏ２としてこの替刃収納具Ｃを振っても、刃先ＥＥの最小断面の法線がこの第２の収納室１ｔの開口方向を向き、刃先ＥＥがこの刃折溝３５ｓ直下に位置した状態で、かつこの替刃収納具Ｃを刃折溝３５ｓの開口方向に振らない限り刃先ＥＥは開口部からこの替刃収納具Ｃの外に飛び出すことはなく、刃先ＥＥがこの替刃収納具Ｃの外に飛び出すことをより効果的に防げる。
【００２３】
さらに、前記第１の収納室１ｓに収納する被収納物がカッターナイフの替刃Ｅ、前記第２の収納室１ｔに収納する特定の廃棄物がカッターナイフの切断された使用済みの刃先ＥＥでそれぞれあるとともに、前記第２の収納室１ｓの開口部をカッターナイフの刃先ＥＥを収納可能な刃折溝３５ｓとしているので、カッターナイフの切れ味が鈍った際に前記刃折溝３５ｓにカッターナイフの刃先ＥＥを差し込み、この刃折溝３５ｓに刃の面板方向に垂直に刃を折り曲げることにより刃先ＥＥを切り離してそのまま第２の収納室１ｔに収納させることができる。
【００２４】
加えて、前記収納具本体１と前記蓋体２との間に、前記蓋体２を前記閉止状態Ｓに保持可能な節度機構４を設けているので、この節度機構４を機能させて前記蓋体２を前記閉止状態Ｓに保持することにより、第１の収納室１ｓ及び第２の収納室１ｔを外部空間から遮断した状態に保持でき、この状態で替刃収納具Ｃを振る等しても使用済みの刃先ＥＥ及び替刃Ｅは蓋体２に規制されて替刃収納具Ｃの外に飛び出さないようにできる。従って、さらに確実に使用済みの刃先ＥＥがこの替刃収納具の外に飛び出すことを防ぐことができる。
【００２５】
また、前記蓋体２が、前記閉止状態Ｓをとる閉止位置から一方向に移動することにより前記第１開放状態Ｏ１をとるとともに、前記閉止位置から前記一方向と逆方向に移動することにより前記第２開放状態Ｏ２をとるようにしているので、前記蓋体２が前記第１開放状態Ｏ１と前記第２開放状態Ｏ２と前記閉止状態Ｓとを選択的にとるようにするための構成を簡単に実現できる。
【００２６】
そして、前記蓋体２を前記収納具本体１に枢着しているとともに、蓋体２の一端部を収納具本体１に当接させた状態で、蓋体２の他端部が第１の収納室１ｓと第２の収納室１ｔとの境界たる隔壁３４の延長線上に位置するので、この蓋体２が前記延長線を越えて第１の収納室１ｓ及び第２の収納室１ｔを同時に外部に開放しうる位置に移動することを規制できる。
【００２７】
加えて、第１の収納室１ｓ及び第２の収納室１ｔはいずれも上方に向けて開口しているとともに、前記取出口１ｘと前記刃折溝３５ｓとは、収納具本体１の上面に近接させて設けているので、蓋体２の大きさをこれら取出口１ｘ及び前記刃折溝３５ｓの両方を同時に閉塞しうる最小限の大きさにできる。
【００２８】
なお、本発明は以上に述べた実施形態に限られない。
【００２９】
例えば、上述した実施形態では、蓋体を収納具本体に枢着するようにしているが、蓋体を収納具本体にスライド可能に支持させるようにしてもよい。すなわち、蓋体が収納具本体の上面全体を被覆する閉止位置にある閉止状態と、この蓋体が閉止位置より第２の収納室側に位置し第１の収納室のみを開放する第１開放状態と、この蓋体が閉止位置より第１の収納室側に位置し第２の収納室のみを開放する第２開放状態とを選択的にとるように蓋体をスライド支持させてもよい。この場合、蓋体の収納具本体側に設けた弾性変形可能な係止爪と、収納具本体の上面に設けられこの係止爪と係合可能な爪受とからなる節度機構を設け、蓋体を前記閉止状態に保持可能にするとなおよい。さらに、前記節度機構が、蓋体の一端部が第１及び第２の収納室の境界近傍に位置し第１の収納室のみを外部に連通している第１開放終端位置、及び蓋体の一端部が第１及び第２の収納室の境界近傍に位置し第２の収納室のみを外部に連通している第２開放終端位置にも蓋体を保持可能なものであるとなおよい。
【００３０】
また、第２の収納室の開口部は、刃折溝として構成する必要はなく、カッターナイフから切り離した状態の使用済みの刃先を挿通可能かつ幅寸法及び奥行き寸法が該刃先の最大幅寸法を下回る範囲で形状を種々に設定してもよい。
【００３１】
また、上述した実施形態において、第２の収納室は、例えば外側方にのみ向けて開口させるようにしてもよい。
【００３２】
加えて、カッターナイフの替刃を収納する替刃収納具だけでなく、種々の収納具に本発明に係る構成を採用してもよい。例えば、未使用の電池を第１の収納室、使用済みの電池を第２の収納室にそれぞれ収納可能な収納具に本発明に係る構成を採用してもよい。
【００３３】
その他、本発明の趣旨を逸脱しない範囲で種々変形が可能である。
【図面の簡単な説明】
【００３４】
【図１】本発明の一実施形態に係る替刃収納具の閉止状態を示す全体斜視図。
【図２】同実施形態に係る替刃収納具の第１開放状態を示す全体斜視図。
【図３】同実施形態に係る替刃収納具の第２開放状態を示す全体斜視図。
【図４】同実施形態に係る替刃収納具の閉止状態を示す平面図。
【図５】同実施形態に係る替刃収納具の閉止状態を示す正面図。
【図６】同実施形態に係る替刃収納具の閉止状態を示す側面図。
【図７】同実施形態に係る替刃収納具の第１開放状態を示す正面図。
【図８】同実施形態に係る替刃収納具の第２開放状態を示す正面図。
【図９】同実施形態に係る替刃収納具の閉止状態を示す中央正断面図。
【図１０】同実施形態に係る替刃収納具を示す分解斜視図。
【符号の説明】
【００３５】
Ｃ…替刃収納具（収納具）
１…収納具本体
１ｓ…第１の収納室
１ｔ…第２の収納室
２…蓋体
Ｏ１…第１開放状態
Ｏ２…第２開放状態
Ｓ…閉止状態
【図１】
2008162612.tif 000003
【図２】
2008162612.tif 000004
【図３】
2008162612.tif 000005
【図４】
2008162612.tif 000006
【図５】
2008162612.tif 000007
【図６】
2008162612.tif 000008
【図７】
2008162612.tif 000009
【図８】
2008162612.tif 000010
【図９】
2008162612.tif 000011
【図１０】
2008162612.tif 000012